(57)【特許請求の範囲】
【請求項１】
(a1)下記を具備する、単一キャリア周波数分割多重（ＳＣ−ＦＤＭ）波形を介する無線通信のための方法：
(a2)1つのＳＣ−ＦＤＭシンボルを得るために、時間領域において１つ又は複数の基準シンボル及び１つ又は複数のデータを運ぶ変調シンボルを多重化すること、；及び
(a3)アップリンクの送信スロットにおけるＳＣ−ＦＤＭシンボル期間内でＳＣ−ＦＤＭ波形を保ちながら前記ＳＣ−ＦＤＭ波形を送信すること。
【請求項２】
前記ＳＣ−ＦＤＭシンボルは下記を具備する、請求項１に記載の方法：
前記複数の基準シンボルのためのサイクリックポストフィックス及びサイクリックプリフィックスのうちの少なくとも１つ；及び
前記複数のデータを運ぶ変調シンボルのためのサイクリックポストフィックス及びサイクリックプリフィックスのうちの少なくとも１つ。
【請求項３】
繰り返される多くの前記基準シンボルは、繰り返される多くの前記データを運ぶ変調シンボルと異なる、請求項２に記載の方法。
【請求項４】
更に下記を具備する、請求項１に記載の方法：
モニターされるチャネルパラメータに基づいて前記多重化を変更すること。
【請求項５】
更に下記を具備する、請求項１に記載の方法：
前記アップリンクの送信スロットの１つ又は複数の他のＳＣ−ＦＤＭシンボル期間において、データ及び基準信号の両方を具備する１つ又は複数のＳＣ−ＦＤＭシンボルを送信すること。
【請求項６】
下記を具備する、単一キャリア周波数分割多重（ＳＣ−ＦＤＭ）波形を介する無線通信のための方法：
アップリンクの送信スロットにおいて、ＳＣ−ＦＤＭシンボル期間内でSC-FDM波形を保ちながら送信されたＳＣ−ＦＤＭシンボルを受信すること；
１つ又は複数の基準シンボル及び１つ又は複数のデータを運ぶ変調シンボルを得るために、時間領域において上記変調シンボルが多重化された1つのＳＣ−ＦＤＭシンボルを逆多重化すること；及び
前記複数の基準シンボル及び１つ又は複数のデータを運ぶ変調シンボルを処理すること。
【請求項７】
前記ＳＣ−ＦＤＭシンボルは下記を具備する、請求項６に記載の方法：
前記複数の基準シンボルのためのサイクリックポストフィックス及びサイクリックプリフィックスのうちの少なくとも１つ；及び
前記複数のデータを運ぶ変調シンボルのためのサイクリックポストフィックス及びサイクリックプリフィックスのうちの少なくとも１つ。
【請求項８】
繰り返される多くの前記基準シンボルは、繰り返される多くの前記データを運ぶ変調シンボルと異なる、請求項７に記載の方法。
【請求項９】
更に下記を具備する請求項６に記載の方法：
前記アップリンクの送信スロットの１つ又は複数の他のＳＣ−ＦＤＭシンボル期間において、データを運ぶシンボル及び基準シンボルの両方を具備する１つ又は複数のＳＣ−ＦＤＭシンボルを受信すること。
【請求項１０】
下記を具備する、単一キャリア周波数分割多重（ＳＣ−ＦＤＭ）波形を介する無線通信のための装置：
1つのＳＣ−ＦＤＭシンボルを得るために、時間領域において１つ又は複数の基準シンボル及び１つ又は複数のデータを運ぶ変調シンボルを多重化するためのロジック；及び
アップリンクの送信スロットにおけるＳＣ−ＦＤＭシンボル期間内でＳＣ−ＦＤＭ波形を保ちながら前記ＳＣ−ＦＤＭ波形を送信するためのロジック。
【請求項１１】
前記ＳＣ−ＦＤＭシンボルは下記を具備する、請求項１０に記載の装置：
前記複数の基準シンボルのためのサイクリックポストフィックス及びサイクリックプリフィックスのうちの少なくとも１つ；及び
前記複数のデータを運ぶ変調シンボルのためのサイクリックポストフィックス及びサイクリックプリフィックスのうちの少なくとも１つ。
【請求項１２】
繰り返される多くの前記基準シンボルは、繰り返される多くの前記データを運ぶ変調シンボルと異なる、請求項１１に記載の装置。
【請求項１３】
更に下記を具備する、請求項１０に記載の装置：
モニターされるチャネルパラメータに基づいて前記多重化を変更するためのロジック。
【請求項１４】
更に下記を具備する、請求項１０に記載の装置：
前記アップリンクの送信スロットの１つ又は複数の他のＳＣ−ＦＤＭシンボル期間において、データ及び基準信号の両方を具備する１つ又は複数のＳＣ−ＦＤＭシンボルを送信するためのロジック。
【請求項１５】
下記を具備する、単一キャリア周波数分割多重（ＳＣ−ＦＤＭ）波形を介する無線通信のための装置：
アップリンクの送信スロットにおいて、ＳＣ−ＦＤＭシンボル内でSC-FDM波形を保ちながら送信されたＳＣ−ＦＤＭシンボルを受信するためのロジック；
１つ又は複数の基準シンボル及び１つ又は複数のデータを運ぶ変調シンボルを得るために、時間領域において上記変調シンボルが多重化された1つのＳＣ−ＦＤＭシンボルを逆多重化するためのロジック；及び
前記複数の基準シンボル及び１つ又は複数のデータを運ぶ変調シンボルを処理するためのロジック。
【請求項１６】
前記ＳＣ−ＦＤＭシンボルは下記を具備する、請求項１５記載の装置：
前記複数の基準シンボルのためのサイクリックポストフィックス及びサイクリックプリフィックスのうちの少なくとも１つ；及び
前記複数のデータを運ぶ変調シンボルのためのサイクリックポストフィックス及びサイクリックプリフィックスのうちの少なくとも１つ。
【請求項１７】
繰り返される多くの前記基準シンボルは、繰り返される多くの前記データを運ぶ変調シンボルと異なる、請求項１６に記載の装置。
【請求項１８】
更に下記を具備する、請求項１５に記載の装置：
前記アップリンクの送信スロットの１つ又は複数の他のＳＣ−ＦＤＭシンボル期間において、データを運ぶシンボル及び基準シンボルの両方を具備する１つ又は複数のＳＣ−ＦＤＭシンボルを受信するためのロジック。
【請求項１９】
下記を具備する、単一キャリア周波数分割多重（ＳＣ−ＦＤＭ）波形を介する無線通信のための装置：
1つのＳＣ−ＦＤＭシンボルを得るために、時間領域において１つ又は複数の基準シンボル及び１つ又は複数のデータを運ぶ変調シンボルを多重化する手段；及び
アップリンクの送信スロットにおけるＳＣ−ＦＤＭシンボル期間内でＳＣ−ＦＤＭ波形を保ちながら前記ＳＣ−ＦＤＭ波形を送信する手段。
【請求項２０】
下記を具備する、単一キャリア周波数分割多重（ＳＣ−ＦＤＭ）波形を介する無線通信のための装置：
アップリンクの送信スロットにおいて、ＳＣ−ＦＤＭシンボル期間内でSC-FDM波形を保ちながら送信されたＳＣ−ＦＤＭシンボルを受信する手段；
１つ又は複数の基準シンボル及び１つ又は複数のデータを運ぶ変調シンボルを得るために、時間領域において上記変調シンボルが多重化された1つのＳＣ−ＦＤＭシンボルを逆多重化する手段；及び
前記複数の基準シンボル及び１つ又は複数のデータを運ぶ変調シンボルを処理する手段。
【請求項２１】
単一キャリア周波数分割多重（ＳＣ−ＦＤＭ）波形を介する無線通信のための複数の命令を備えたコンピュータプログラム、前記複数の命令は１つ又は複数のプロセッサによって実行可能であり、前記複数の命令は下記を具備する：
1つのＳＣ−ＦＤＭシンボルを得るために、時間領域において１つ又は複数の基準シンボル及び１つ又は複数のデータを運ぶ変調シンボルを多重化するための複数の命令；及び
アップリンクの送信スロットにおけるＳＣ−ＦＤＭシンボル期間内でＳＣ−ＦＤＭ波形を保ちながら前記ＳＣ−ＦＤＭ波形を送信するための複数の命令。
【請求項２２】
単一キャリア周波数分割多重（ＳＣ−ＦＤＭ）波形を介する無線通信のための複数の命令を備えたコンピュータプログラム、前記複数の命令は１つ又は複数のプロセッサによって実行可能であり、前記複数の命令は下記を具備する：
アップリンクの送信スロットにおいて、ＳＣ−ＦＤＭシンボル期間内でＳＣ−ＦＤＭ波形を保ちながら送信されたＳＣ−ＦＤＭシンボルを受信するための複数の命令；
１つ又は複数の基準シンボル及び１つ又は複数のデータを運ぶ変調シンボルを得るために、時間領域において上記変調シンボルが多重化された1つのＳＣ−ＦＤＭシンボルを逆多重化するための複数の命令；及び
前記複数の基準シンボル及び１つ又は複数のデータを運ぶ変調シンボルを処理するための複数の命令。
【請求項２３】
下記を行うように構成される少なくとも１つのプロセッサを具備する、単一キャリア周波数分割多重（ＳＣ−ＦＤＭ）波形を介する無線通信のための装置：
1つのＳＣ−ＦＤＭシンボルを得るために、時間領域において１つ又は複数の基準シンボル及び１つ又は複数のデータを運ぶ変調シンボルを多重化すること；及び
アップリンクの送信スロットにおけるＳＣ−ＦＤＭシンボル期間内でＳＣ−ＦＤＭ波形を保ちながら前記ＳＣ−ＦＤＭ波形を送信すること。
【請求項２４】
下記を行うように構成される少なくとも１つのプロセッサを具備する、単一キャリア周波数分割多重（ＳＣ−ＦＤＭ）波形を介する無線通信のための装置：
アップリンクの送信スロットにおいて、ＳＣ−ＦＤＭシンボル期間内でＳＣ−ＦＤＭ波形を保ちながら送信されたＳＣ−ＦＤＭシンボルを受信すること；
１つ又は複数の基準シンボル及び１つ又は複数のデータを運ぶ変調シンボルを得るために、時間領域において上記変調シンボルが多重化された１つのＳＣ−ＦＤＭシンボルを逆多重化すること；及び
前記複数の基準シンボル及び１つ又は複数のデータを運ぶ変調シンボルを処理すること。
【発明の詳細な説明】
【関連技術】
【０００１】
［３５Ｕ．Ｓ．Ｃ．§１１９に基づく優先権の主張］
本出願は、本譲受人にその権利が譲渡され、本願において参考文献として明確に組み込まれる２００８年９月１８日に出願された仮米国特許出願第６１／０９８，００２号の利益を主張している。
【技術分野】
【０００２】
本開示は、全般的には通信に関し、より明確には無線通信に関する。
【背景技術】
【０００３】
無線通信システムは、音声、ビデオ、パケットデータ、メッセージング、又はブロードキャストのコンテンツのような様々な通信コンテンツを提供するために広く展開されている。これらの無線システムは、利用可能なシステムリソースを共有することでマルチプルな（multiple）複数のユーザをサポートすることを可能にするマルチプルアクセスシステムであることができる。このようなマルチプルアクセスシステムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、及び単一キャリアＦＤＭＡ（ＳＣ−ＦＤＭＡ）システムを含む。
【０００４】
無線通信システムは、多くのユーザ機器（ＵＥ）のために通信をサポートすることができる多くのノードＢを含むことができる。ＵＥは、ダウンリンク及びアップリンクを介してノードＢと通信することができる。ダウンリンク（又は順方向リンク）は、ノードＢからＵＥへの通信リンクを称し、そしてアップリンク（又は逆方向リンク）は、ＵＥからノードＢへの通信リンクを称する。
【発明の概要】
【０００５】
本開示のある複数の態様は、単一キャリア周波数分割多重（ＳＣ−ＦＤＭ）波形を介する無線通信のための方法を提供する。該方法は、一般にＳＣ−ＦＤＭシンボルを得るために、時間領域において１つ又は複数の基準シンボル及び１つ又は複数のデータを運ぶ変調シンボルを多重化し、そしてアップリンクの送信スロットにおけるＳＣ−ＦＤＭシンボル期間内でＳＣ−ＦＤＭ波形を送信することを含む。
【０００６】
本開示のある複数の態様は、単一キャリア周波数分割多重（ＳＣ−ＦＤＭ）波形を介する無線通信のための方法を提供する。該方法は、一般にアップリンクの送信スロットにおいてＳＣ−ＦＤＭシンボルを受信することと、１つ又は複数の基準シンボル及び１つ又は複数のデータを運ぶ変調シンボルを得るために、時間領域においてＳＣ−ＦＤＭシンボルを逆多重化することと、該複数の基準シンボル及び１つ又は複数のデータを運ぶ変調シンボルを処理することとを含む。
【０００７】
本開示のある複数の態様は、単一キャリア周波数分割多重（ＳＣ−ＦＤＭ）波形を介する無線通信のための装置を提供する。該装置は、一般にＳＣ−ＦＤＭシンボルを得るために、時間領域において１つ又は複数の基準シンボル及び１つ又は複数のデータを運ぶ変調シンボルを多重化するためのロジックと、アップリンクの送信スロットにおけるＳＣ−ＦＤＭシンボル期間内でＳＣ−ＦＤＭ波形を送信するためのロジックを含む。
【０００８】
本開示のある複数の態様は、単一キャリア周波数分割多重（ＳＣ−ＦＤＭ）波形を介する無線通信のための装置を提供する。該装置は、一般にアップリンクの送信スロットにおいてＳＣ−ＦＤＭシンボルを受信するためのロジックと、１つ又は複数の基準シンボル及び１つ又は複数のデータを運ぶ変調シンボルを得るために、時間領域においてＳＣ−ＦＤＭシンボルを逆多重化するためのロジックと、該複数の基準シンボル及び１つ又は複数のデータを運ぶ変調シンボルを処理するためのロジックとを含む。
【０００９】
本開示のある複数の態様は、単一キャリア周波数分割多重（ＳＣ−ＦＤＭ）波形を介する無線通信のための装置を提供する。該装置は、一般にＳＣ−ＦＤＭシンボルを得るために、時間領域において１つ又は複数の基準シンボル及び１つ又は複数のデータを運ぶ変調シンボルを多重化する手段と、アップリンクの送信スロットにおけるＳＣ−ＦＤＭシンボル期間内でＳＣ−ＦＤＭ波形を送信する手段を含む。
【００１０】
本開示のある複数の態様は、単一キャリア周波数分割多重（ＳＣ−ＦＤＭ）波形を介する無線通信のための装置を提供する。該装置は、一般にアップリンクの送信スロットにおいてＳＣ−ＦＤＭシンボルを受信する手段と、１つ又は複数の基準シンボル及び１つ又は複数のデータを運ぶ変調シンボルを得るために、時間領域においてＳＣ−ＦＤＭシンボルを逆多重化する手段と、該複数の基準シンボル及び１つ又は複数のデータを運ぶ変調シンボルを処理する手段とを含む。
【００１１】
ある複数の態様は、その上に複数の命令を格納されたコンピュータ可読媒体を具備する、単一キャリア周波数分割多重（ＳＣ−ＦＤＭ）波形を介する無線通信のためのコンピュータプログラム製品を提供し、該複数の命令は１つ又は複数のプロセッサによって実行可能である。該複数の命令は、一般にＳＣ−ＦＤＭシンボルを得るために、時間領域において１つ又は複数の基準シンボル及び１つ又は複数のデータを運ぶ変調シンボルを多重化するための複数の命令と、アップリンクの送信スロットにおけるＳＣ−ＦＤＭシンボル期間内でＳＣ−ＦＤＭ波形を送信するための複数の命令を含む。
【００１２】
ある複数の態様は、その上に複数の命令を格納されたコンピュータ可読媒体を具備する、単一キャリア周波数分割多重（ＳＣ−ＦＤＭ）波形を介する無線通信のためのコンピュータプログラム製品を提供し、該複数の命令は１つ又は複数のプロセッサによって実行可能である。該複数の命令は、一般にアップリンクの送信スロットにおいてＳＣ−ＦＤＭシンボルを受信するための複数の命令と、１つ又は複数の基準シンボル及び１つ又は複数のデータを運ぶ変調シンボルを得るために、時間領域においてＳＣ−ＦＤＭシンボルを逆多重化するための複数の命令と、該複数の基準シンボル及び１つ又は複数のデータを運ぶ変調シンボルを処理するための複数の命令とを含む。
【００１３】
本開示のある複数の態様は、単一キャリア周波数分割多重（ＳＣ−ＦＤＭ）波形を介する無線通信のための装置を提供する。該装置は、一般にＳＣ−ＦＤＭシンボルを得るために、時間領域において１つ又は複数の基準シンボル及び１つ又は複数のデータを運ぶ変調シンボルを多重化し、アップリンクの送信スロットにおけるＳＣ−ＦＤＭシンボル期間内でＳＣ−ＦＤＭ波形を送信するように構成される少なくも１つのプロセッサを含む。
【００１４】
本開示のある複数の態様は、単一キャリア周波数分割多重（ＳＣ−ＦＤＭ）波形を介する無線通信のための装置を提供する。該装置は、一般にアップリンクの送信スロットにおいてＳＣ−ＦＤＭシンボルを受信し、１つ又は複数の基準シンボル及び１つ又は複数のデータを運ぶ変調シンボルを得るために、時間領域においてＳＣ−ＦＤＭシンボルを逆多重化し、該複数の基準シンボル及び１つ又は複数のデータを運ぶ変調シンボルを処理するように構成される少なくとも１つのプロセッサを含む。
【図面の簡単な説明】
【００１５】
本開示の上記特徴が詳細に理解され得るように、上で簡単に要約された本開示のより詳しい説明は複数の態様によって参照することができ、その一部は添付の図面に例示されている。しかしながら、複数の添付の図面は、ある典型的な複数の態様のみを例示しており、従ってその範囲を限定しているとはみなされないことに留意されたい、という理由は、本記述は、他の同様に有効な態様に対しても認めることができるからである。
【図１】図１は、本開示のある複数の態様に従って、実例的な多元接続無線通信システムを例示する図。
【図２】図２は、本開示のある複数の態様に従って、実例的なノードＢ及びＵＥを例示するブロック図。
【図３】図３は、本開示のある複数の態様に従って、実例的なアップリンクフレーム構造を例示する図。
【図４Ａ】図４Ａは、ノーマルなサイクリックプリフィックス（normal cyclic prefix）を有する実例的なアップリンクフレーム構造を例示する図。
【図４Ｂ】図４Ｂは、拡張されたサイクリックプリフィックス（extended cyclic prefix）を有する実例的なアップリンクフレーム構造を例示する図。
【図５】図５は、本開示のある複数の態様に従って、実例的な変調器及び復調器を例示する図。
【図６】図６は、本開示のある複数の態様に従って、多重化された基準シンボル及びデータを運ぶ複数の変調シンボルを有する実例的なＳＣ−ＦＤＭシンボルを例示する図
【図７】図７は、本開示のある複数の態様に従って、ＳＣ−ＦＤＭシンボルを生成（generate）するための実例的な複数のオペレーションを例示する図。
【図７Ａ】図７Ａは、図７に示される複数のオペレーションを行なうことができる実例的な複数の構成要素を示すブロック図。
【図８】図８は、本開示のある複数の態様に従って、受信されたＳＣ−ＦＤＭシンボルを処理するための実例的な複数のオペレーションを例示する図。
【図８Ａ】図８Ａは、図８に示される複数のオペレーションを行なうことができる実例的な複数の構成要素を示すブロック図。
【発明を実施するための形態】
【００１６】
ここに記述される複数の技術は、ＣＤＭＡ、ＴＤＭＡ、ＦＤＭＡ、ＯＦＤＭＡ、ＳＣ−ＦＤＭＡ及び他のシステムのような様々な無線通信システムに使用されることができる。「システム」及び「ネットワーク」という用語は、しばしば置換可能に使用される。ＣＤＭＡシステムは、ユニバーサル地上無線アクセス（ＵＴＲＡ）又はｃｄｍａ２０００のような無線技術をインプリメント（implement）することができる。ＵＴＲＡは、広帯域ＣＤＭＡ（ＷＣＤＭＡ）及び他の異なるＣＤＭＡを含む。ｃｄｍａ２０００は、ＩＳ−２０００、ＩＳ−９５及びＩＳ−８５６規格をカバーする。ＴＤＭＡシステムは、グローバル移動体通信システム（ＧＳＭ）（登録商標）のような無線技術をインプリメントすることができる。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（登録商標）などのような無線技術をインプリメントすることができる。ＵＴＲＡ及びＥ−ＵＴＲＡは、ユニバーサル・モバイル・テレコミュニケーション・システム（ＵＭＴＳ）の一部である。３ＧＰＰロングタームエボリューション（ＬＴＥ：Long Term Evolution）は、ダウンリンク上でＯＦＤＭＡを採用し、アップリンク上でＳＣ−ＦＤＭＡを採用したＥ−ＵＴＲＡを使用するＵＭＴＳの近く公開されるリリースである。ＵＴＲＡ、Ｅ−ＵＴＲＡ、ＵＭＴＳ、ＬＴＥ及びＧＳＭは、「第３世代パートナシップ計画」（３ＧＰＰ）と命名された組織からの文書に記述されている。ｃｄｍａ２０００及びＵＭＢは、「第３世代パートナシップ計画２」（３ＧＰＰ２）と命名された組織からの文書に記述されている。明確さのために、該複数の技術の複数の態様は、ＬＴＥに関して記述され、またＬＴＥの専門用語は、以下の記述の多くで使用される。
【００１７】
図１は、無線通信システム１００を示し、それはＬＴＥシステムあるいは何か他のシステムであることができる。システム１００は、多くのノードＢ及び複数の他のネットワークエンティティ（network entities）を含むことができる。ノードＢは、複数のＵＥと通信する固定局であることができ、また発展型ノードＢ（ｅＮＢ）、基地局、又はアクセスポイントなどと称されることができる。各ノードＢは、特定の地理的なエリアに対して通信のカバレッジを提供する。システム容量を向上するために、ノードＢのオーバーオールな（overall）カバレッジエリアは、マルチプルな（例えば、３つの）より小さなエリアに分割されることができる。各々のより小さなエリアは、それぞれのノードＢのサブシステムによってサービスされることができる。３ＧＰＰでは、「セル」という用語は、ノードＢの最小のカバレッジエリア及び／又はこのカバレッジエリアをサービスするノードＢのサブシステムを称することができる。
【００１８】
複数のＵＥ  １２０は、システムの全体に渡って分散されることができ、そして各ＵＥは、固定あるいは移動可能であることができる。ＵＥはまた、移動局、端末、アクセス端末、加入者ユニット、又は局などと称されることができる。ＵＥは、携帯電話、携帯情報端末（ＰＤＡ）、無線モデム、無線通信装置、ハンドヘルド装置、ラップトップコンピュータ、又はコードレス電話などであることができる。ＵＥは、ダウンリンク及びアップリンクを介してノードＢと通信することができる。
【００１９】
システム制御装置１３０は、ノードＢのセットに結合し、これらのノードＢのために調整と制御を提供することができる。システム制御装置１３０は、単一のネットワークエンティティ又は複数のネットワークエンティティの集まりであることができる。
【００２０】
図２は、ノードＢ  １１０及びＵＥ  １２０の設計のブロック図を示し、それは図１における複数のノードＢのうちの１つ及び複数のＵＥのうちの１つであることができる。この設計では、ノードＢ  １１０は、Ｔ個のアンテナ２３４ａ乃至２３４ｔを備えられ、またＵＥ  １２０は、Ｒ個のアンテナ２５２ａ乃至２５２ｒを備えられている。ここでは、一般に、Ｔ≧１及びＲ≧１である。
【００２１】
ノードＢ  １１０では、送信プロセッサ２２０は、データ送信装置２１２から１つ又は複数のＵＥのためのトラフィクデータを受信し、１つ又は複数の変調及び符号化スキームに基づいて、各ＵＥのためのトラフィックデータを処理（例えば、符号化する及びシンボルマップする）し、そして全てのＵＥのための複数のデータシンボルを提供することができる。送信プロセッサ２２０はまた、制御情報を処理して複数の制御シンボルを提供することができる。送信（ＴＸ）多入力多出力（ＭＩＭＯ：multiple-input multiple-output）プロセッサ２３０は、データシンボル、制御シンボル、パイロットシンボル、及び事によるとその他のシンボルを多重化することができる。ＴＸ  ＭＩＭＯプロセッサ２３０は、適用可能な場合には、多重化されたシンボル上に空間的な処理（例えば、プリコーディング（precoding））を行うことができ、そしてＴ個の出力シンボルストリームをＴ個の変調器（ＭＯＤ）２３２ａ乃至２３２ｔに提供する。各変調器２３２は、出力サンプルストリームを得るために、その（例えば、ＯＦＤＭのための）出力シンボルストリームを処理することができる。各変調器２３２は、その出力サンプルストリームを更に処理（例えば、アナログへ変換する、フィルタする、増幅する、及びアップコンバートする）し、そしてダウンリンク信号を生成することができる。変調器２３２ａ乃至２３２ｔからのＴ個のダウンリンク信号は、それぞれアンテナ２３４ａ乃至２３４ｔを介して送信されることができる。
【００２２】
ＵＥ  １２０では、Ｒ個のアンテナ２５２ａ乃至２５２ｒは、ノードＢ  １１０からＴ個のダウンリンク信号を受信することができ、そして各アンテナ２５２は、受信した信号を、結合された復調器（ＤＥＭＯＤ）２５４に提供することができる。各復調器２５４は、複数のサンプルを得るために、その受信された信号を調える（例えば、フィルタする、増幅する、ダウンコンバートする、及びデジタル化する）ことができ、そして複数の受信されたシンボルを得るために、（例えば、ＯＦＤＭのための）該サンプルを更に処理することができる。ＭＩＭＯ検出器２６０は、全てのＲ個の復調器２５４から複数の受信されたシンボルを得ることができ、適用可能な場合には、該複数の受信されたシンボル上にＭＩＭＯ検出を行ない、そして複数の検出されたシンボルを提供することができる。受信プロセッサ２７０は、該複数の検出されたシンボルを処理（例えば、逆マッピングする及び復号化する）し、復号化されたデータをデータ受信装置２７２に提供し、また復号化された制御情報を制御装置／プロセッサ２９０へ提供することができる。
【００２３】
アップリンク上において、ＵＥ  １２０では、データ送信装置２７８からのトラフィックデータ及び制御装置／プロセッサ２９０からの制御情報は、送信プロセッサ２８０によって処理され（例えば、復号化される及びシンボルマップされる）、ＴＸ  ＭＩＭＯプロセッサ２８２によって空間的に処理され（例えば、事前コード化される）、そしてＲ個のアップリンク信号を生成するために（例えば、ＯＦＤＭ、又はＳＣ−ＦＤＭのために）変調器２５４ａ乃至２５４ｒによって更に処理されることができ、それらは、アンテナ２５２ａ乃至２５２ｒを介して送信されることができる。ノードＢ  １１０では、ＵＥ  １２０からのＲ個のアップリンク信号は、アンテナ２３４ａ乃至２３４ｔによって受信され、復調器２３２ａ乃至２３２ｔによって処理され、ＭＩＭＯ検出器２３６によって空間的に処理され、そしてＵＥ  １２０によって伝送された制御情報及びトラフィックデータを回復するために受信プロセッサ２３８によって更に処理される（例えば、シンボル逆マッピングされる、及び復号化される）。該復号化されたデータは、データ受信装置２３９に提供されることができる。制御装置／プロセッサ２４０は、該ＵＥから受信された制御情報に基づいて、ＵＥ  １２０へのデータ送信を制御することができる。
【００２４】
制御装置／プロセッサ２４０及び２９０は、それぞれノードＢ  １１０及びＵＥ  １２０におけるオペレーションを管理することができる。メモリ２４２及び２９２は、それぞれノードＢ  １１０及びＵＥ  １２０のためのデータとプログラムコードを格納することができる。スケジューラ２４４は、ダウンリンク及び／又はアップリンク上の送信のために、ＵＥ  １２０及び／又は複数の他のＵＥを選択することができる。
【００２５】
ＬＴＥは、ダウンリンク上では直交周波数分割多重方式（ＯＦＤＭ）、そしてアップリンク上では単一キャリア周波数分割多重方式（ＳＣ−ＦＤＭ）を利用する。ＯＦＤＭ及びＳＣ−ＦＤＭは、システムの帯域幅をマルチプルな（Ｋ）個の直交するサブキャリアに分割することができ、それらはまた、一般にトーン（tones）又はビン(bins)などと称される。各サブキャリアは、データを用いて変調されることができる。一般に、複数の変調シンボルは、ＯＦＤＭでは周波数領域において伝送され、ＳＣ−ＦＤＭでは時間領域において伝送される。隣接するサブキャリア間の間隔は固定されることができ、そしてサブキャリアの総数（Ｋ）は、システムの帯域幅に依存することができる。例えば、Ｋは、１．２５、２．５、５、１０又は２０ＭＨｚのシステムの帯域幅に対して、それぞれ１２８、２５６、５１２、１０２４又は２０４８に等しくあることができる。
【００２６】
図３は、送信に使用されることができる実例的なフレーム構造３００を示す。送信タイムライン(transmission timeline)は、無線フレーム単位に分割されることができる。各無線フレームは、所定の持続時間（例えば、１０ミリセカンド（ｍｓ））を有することができ、１０個のサブフレームに分割されることができる。各サブフレームは、２つのスロットを含むことができ、そして各スロットは、Ｌ個のシンボル期間を含むことができる。
【００２７】
リソースブロックは、利用可能な時間及び周波数のリソースに基づいて定められることができる。リソースブロックは、１つのスロットにＮ個のサブキャリア（例えば、Ｎ＝１２個のサブキャリア）を含むことができる。利用可能なリソースブロックは、制御情報及びトラフィックデータの送信のために複数のＵＥに割り当てられることができる。
【００２８】
図４は、ノーマルなサイクリックプリフィックス（normal cyclic prefix）を有する１つのスロットにおけるアップリンク上の実例的な送信４００を示す。該スロットは、ノーマルなサイクリックプリフィックスのためにＬ＝７個のシンボル期間４０２（期間０乃至６）を含む。データを含むＳＣ−ＦＤＭシンボルは、Ｍ個のサブキャリア上で、該スロットにおけるシンボル期間０、１、２、４、５及び６の各々において伝送されることができる。Ｍは、１つのリソースブロックのためのサブキャリア数であるＮの整数倍（integer multiple）であることができる。復調基準信号（ＤＭ−ＲＳ）４０４を含むＳＣ−ＦＤＭシンボルは、真ん中のシンボル期間３においてＭ個のサブキャリア上で伝送されることができる。ＤＭ−ＲＳ  ４０４は、データを含んでいる複数の他のＳＣ−ＦＤＭシンボルの同期検波のために、ノードＢによって使用されることができる。ＤＭ−ＲＳ  ４０４はまた、基準信号、パイロット、プリアンブル、基準（reference）、又はトレーニング信号などと称されることができる。
【００２９】
図４Ｂは、拡張されたサイクリックプリフィックス（extended cyclic prefix）を有する１つのスロットにおけるアップリンク上の実例的な送信４５０を示す。スロットは、拡張されたサイクリックプリフィックスのためにＬ＝６個のシンボル期間４５２（期間０乃至５）を含む。データを含むＳＣ−ＦＤＭシンボルは、Ｍ個のサブキャリア上で、スロットにおけるシンボル時期０、１、３、４及び５の各々において伝送されることができる。ＤＭ−ＲＳ  ４５４を含むＳＣ−ＦＤＭシンボルは、シンボル期間３においてＭ個のサブキャリア上で伝送されることができる。
【００３０】
図４Ａ及び４Ｂで示された設計では、基準信号は、各スロットにおいて伝送され、またＳＣ−ＦＤＭシンボル全体を占有する。該基準信号は、ノーマルなサイクリックプリフィックスについては１４％オーバーヘッド（over head）及び拡張されたサイクリックプリフィックスについては１７％オーバーヘッドの割合を占める。復調基準信号をもってより低いオーバーヘッドが望ましい。
【００３１】
データ及び基準信号の多重化
復調基準信号に関連するオーバーヘッドを減らすことは、望ましくあり得る。しかしながら、そのようなオーバーヘッドの減少への１つの挑戦は、ＳＣ−ＦＤＭ波形を保つ（preserve）ことであり得る。
【００３２】
一態様では、基準信号は、ＳＣ−ＦＤＭ波形を保ちながらオーバーヘッド減らすために、時間領域においてデータと共に多重化されることができる。基準信号及びデータの多重化は、様々な方法で行われることができる。下に記述されるように、使用される正確な方法は、パイロットオーバーヘッドと、チャネル推定の性能と、スループットとの間のトレードオフ（tradeoff）を表すことができる。ある複数の態様に従って、多重化された基準信号及びデータを含むＳＣ−ＦＤＭシンボルは、基準信号のみを含む従来のＳＣ−ＦＤＭシンボルの代わりに伝送されることができる。
【００３３】
図５は、本開示のある複数の態様に従って利用されることができる、ＵＥにおける実例的なＳＣ−ＦＤＭ変調器５１０と、ノードＢにおける実例的なＳＣ−ＦＤＭ復調器５５０のブロック図を示す。ＳＣ−ＦＤＭ変調器５１０は、減少されたオーバーヘッドでＳＣ−ＦＤＭ波形を送信する及び得るために、時間領域において基準及びデータを運ぶ複数の変調シンボルｓ（ｎ）を多重化するように構成されることができる。ＳＣ−ＦＤＭ復調器５５０は、ＳＣ−ＦＤＭ波形を受信し、そして更なる受信機の処理のために、ｒ（ｎ）として基準及びデータを運ぶ複数の変調シンボルを逆多重化するように構成されることができる。
【００３４】
ＳＣ−ＦＤＭ変調器５１０内では、離散フーリエ変換（ＤＦＴ）ユニット５１２が、送信に使用されるＭ個のサブキャリアのためのＭ個の変調シンボルを受信する。Ｍ個の変調シンボルは、基準信号及び/又はデータのためであることができる。ＤＦＴユニット５１２は、これらの変調シンボルを時間領域から周波数領域に変換し、そしてＭ個の周波数領域のシンボルを提供するために、Ｍ個の変調シンボル上にＭ−点ＤＦＴを行う。基準信号はまた、直接Ｍ個の周波数領域のシンボルを得るために周波数領域において生成されることができ、この場合には、ＤＦＴユニット５１２は省略されることができる。
【００３５】
シンボル−ツー−サブキャリア（symbol-to-subcarrier）のマッパー５１４は、送信に使用されるＭ個のサブキャリアにＭ個の周波数領域のシンボルをマッピングし、そしてＫ−Ｍ個の残りのサブキャリアにゼロの信号値を有するゼロシンボルをマッピングする。逆高速フーリエ変換（ＩＦＦＴ）ユニット５１６は、マッパー５１４から合計Ｋ個のサブキャリアのためのＫ個のシンボルを受信し、該シンボルを周波数領域から時間領域に変換するために、これらのＫ個のシンボル上にＫ−点ＩＦＦＴを行ない、そしてＳＣ−ＦＤＭシンボルの有用な部分（useful portion）に関するＫ個の時間領域のサンプルを提供する。各時間領域のサンプルは、１つのサンプル期間において送信される複雑な値（complex value）である。サイクリックプリフィックスジェネレータ５１８は、有用な部分の最後のＣ個のサンプルをコピーし、Ｋ＋Ｃ個のサンプルを含むＳＣ−ＦＤＭシンボルを形成するために有用な部分の先頭にこれらのＣ個のサンプルを追加する。該サイクリックプリフィックスは、周波数選択性フェージングによって引き起こされるシンボル間干渉（ＩＳＩ）と格闘するために使用される。ＳＣ−ＦＤＭシンボルは、チャネルインパルス応答ｈ（ｎ）を有する無線チャネルを介して送信されることができる。
【００３６】
ノードＢにおいて、ＳＣ−ＦＤＭ復調器５５０内では、サイクリックプリフィクスの除去ユニット５５２は、受信されたＳＣ−ＦＤＭシンボルに関するＫ＋Ｃ個の受信されたサンプルを得て、サイクリックプリフィックスに対応するＣ個の受信されたサンプルを除去し、そして受信されたＳＣ−ＦＤＭシンボルの有用な部分のためのＫ個の受信されたサンプルを提供する。高速フーリエ変換（ＦＦＴ）ユニット５５４は、Ｋ個の受信されたサンプル上にＫ−点ＦＦＴを行い、そして合計Ｋ個のサブキャリアのためのＫ個の受信されたシンボルを提供する。シンボル−ツー−サブキャリアの逆マッパー（symbol-to-subcarrier demapper）５５６は、送信に使用されたＭ個のサブキャリアからＭ個の受信されたシンボルを提供し、そして残りの複数の受信されたシンボルを破棄（discard）する。逆ＤＦＴ（ＩＤＦＴ）ユニット５５８は、Ｍ個の受信されたシンボル上にＭ−点ＩＤＦＴを行ない、そしてＭ個の受信された変調シンボルを提供する。受信機プロセッサ５６０は、チャネル推定を派生し、受信されたＳＣ−ＦＤＭシンボルにおいて伝送されたデータを回復するために、Ｍ個の受信された変調シンボルを処理する。
【００３７】
送信アンテナ及び受信アンテナの間の無線チャネルは、時間領域のチャネルインパルス応答ｈ（ｎ）か、対応する周波数領域のチャネル周波数応答Ｈ（ｋ）かのどちらかによって特徴づけられることができる。チャネル周波数応答は、チャネルインパルス応答のＤＦＴである。この関係は以下のように表されることができる:
【数１】
0005296212.tif 000002
【００３８】
ここで、Ｌは、チャネルインパルス応答ｈ（ｎ）におけるチャネルタップ数である。方程式（１）は、一般性を失うことなく、送信に使用されるＭ個のサブキャリアは、０乃至Ｍ−１のインデックスを有すると仮定する。
【００３９】
逆マッパー５５６からの複数の受信されたシンボルは、以下のように表されることができる:
【数２】
0005296212.tif 000003
【００４０】
ここで、Ｈ＝［Ｈ（０）...Ｈ（Ｍ−１）］Ｔは、チャネル周波数応答のためのＭ×１ベクトル（vector）であり、Ｓ＝［Ｓ（０）...Ｓ（Ｍ−１）］Ｔは、ＤＦＴユニット５１２からの複数の周波数領域のシンボルのＭ×１ベクトルであり、Ｒ＝［Ｒ（０）...Ｒ（Ｍ−１）］Ｔは、逆マッパー５５６からの複数の受信されたシンボルのＭ×１ベクトルであり、Ｗは、Ｍ×１ノイズベクトルであり、そして「Ｔ」は、転置行列（transpose）を示す。
【００４１】
方程式（２）における受信された周波数領域の信号のＭ−点ＩＤＦＴは、以下のように表されることができる：
【数３】
0005296212.tif 000004
【００４２】
ここで、ｓ（ｎ）は、ＤＦＴユニット５１２に提供される複数の変調シンボルを示し、ｒ（ｎ）は、｛Ｒ（０），...，Ｒ（Ｍ−１）｝のＭ−点ＩＤＦＴを示し、ｈ’（ｎ）は、Ｍ−タップのチャネルインパルス応答を示し、ｗ（ｎ）は、時間領域におけるノイズを示し、そして
【数４】
0005296212.tif 000005
【００４３】
は、Ｍ−点巡回畳込みを示す。
【００４４】
Ｍ−タップのチャネルインパルス応答は、以下のように得られることができる:
【数５】
0005296212.tif 000006
【００４５】
ｈ’（ｎ）における大きなエネルギーに関するチャネルタップの数は、おおよそ
【数６】
0005296212.tif 000007
【００４６】
に等しい。
【００４７】
１つの設計では、１つのＳＣ−ＦＤＭシンボル｛ｓ（０），ｓ（１），...,ｓ（Ｍ−１）｝のための基準信号及びデータを運ぶ変調シンボルの両方を含むＭ個の時間領域のシンボルは、以下の構造を有することができる：
【数７】
0005296212.tif 000008
【００４８】
ここで、ｐ（０）乃至ｐ（Ｑ１−１）は、基準信号のための複数のパイロットシンボルであり、ｄ（０）乃至ｄ（Ｑ２−１）は、データのための複数の変調シンボルであり、ｓは、ＤＦＴユニット５１２に提供される複数の変調シンボルのＭ×１ベクトルであり、そしてＱ１＋Ｑ２＋２・（Ｐ１＋Ｐ２）＝Ｍである。
【００４９】
図６は、本開示のある複数の態様に従って、１つのＳＣ−ＦＤＭシンボルのための、時間領域において多重化される複数の基準シンボル及び複数のデータを運ぶ変調シンボルを有する、Ｍ個の変調シンボルを示す。
【００５０】
例示されている例では、Ｑ１のパイロットシンボルが、基準信号のために伝送されることができる。基準信号のための最後のＰ１の変調シンボルは、コピーされ、サイクリックプリフィクスとして基準信号の前に追加されることができる。基準信号のための最初のＰ２の変調シンボルは、コピーされ、サイクリックポストフィックスとして基準信号の後に追加されることができる。Ｑ２の変調シンボルは、データのために伝送されることができる。データのための最後のＰ１の変調シンボルは、コピーされ、サイクリックプリフィクスとしてデータの前に追加されることができる。データのための最初のＰ２の変調シンボルは、コピーされ、サイクリックポストフィックスとしてデータの後に追加されることができる。
【００５１】
ノードＢは、ＳＣ−ＦＤＭシンボルのためのＭ個の受信されたシンボルを有する２つのベクトルを次のように形成することができる:
【数８】
0005296212.tif 000009
【００５２】
ここで、ｒ１は、基準信号のための複数の受信されたシンボルのＱ１×１ベクトルであり、ｒ２は、データのための複数の受信された変調シンボルのＱ２×１ベクトルである。
【００５３】
ベクトルｒ１は、（i）基準信号のためのサイクリックプリフィックスに対応している最初のＰ１の受信された変調シンボルを破棄し、そして（ii）基準信号に対応する次のＱ１の受信された変調シンボルを使用することによって得られることができる。ベクトルｒ２は、（i）全体の基準信号及びデータのためのサイクリックプリフィックスに対応している最初の２Ｐ１＋Ｐ２＋Ｑ１の受信された変調シンボルを破棄し、そして（ii）データ部分に対応する次のＱ２の受信された変調シンボルを使用することによって得られることができる。
【００５４】
サイクリックプリフィクスの長さＰ１及びサイクリックポストフィックスの長さＰ２は、
【数９】
0005296212.tif 000010
【００５５】
であるように選択されることができる。方程式（６）及び（７）における受信された信号は、その時は以下のように表されることができる：
【数１０】
0005296212.tif 000011
【００５６】
ここで、ｒ１（ｎ）及びｒ２（ｎ）は、それぞれベクトルｒ１及びｒ２におけるちょうどｎ番目のエントリー（entry）であり、
【数１１】
0005296212.tif 000012
【００５７】
は、それぞれＱ１−点及びＱ２−点の巡回畳込みを示し、ｈ１（ｎ）及びｈ２（ｎ）は、ｈ’（ｎ）の異なる切られた（truncated）バージョンであり、そしてｗ１（ｎ）及びｗ２（ｎ）は、それぞれベクトルｒ１及びｒ２
に関するノイズである。
【００５８】
ＤＦＴは、以下を得るために、ｒ１（ｎ）及びｒ２（ｎ）のために行なわれることができる:
【数１２】
0005296212.tif 000013
【００５９】
Ｑ１−点シーケンスｐ（ｎ）は、基準信号のためであることができる。その時チャネル推定は、方程式（１０）で示された複数の受信されたシンボルＲ１（ｋ）に基づいて行われることができる。Ｑ２−点シーケンスｄ（ｎ）と同様に他のＳＣ−ＦＤＭシンボルにおいて伝送されたデータ変調シンボルは、該チャネル推定を用いて復調されることができる。パラメータＱ１及びＱ２は、異なるパイロットオーバーヘッドを達成し、そしてスループッとチャネル推定の性能との間でトレードオフするために、柔軟に選択されることができる。更に、データ及び基準信号のための複数の変調シンボルは時間領域において多重化されているので、ＳＣ−ＦＤＭ波形は保たれている。
【００６０】
上の記述は、ＵＥが、単一の送信アンテナを備えていると仮定している。ＵＥがマルチプルな複数のアンテナを備えている場合には、その時は各送信アンテナのためにＤＦＴユニット５１２に提供される複数のシンボルのベクトルは、方程式（５）で示される構造をなお有することができる。しかしながら、異なる基準信号シーケンスが、各アンテナから伝送され得る。例えば、２つの送信アンテナのための時間領域における複数のシンボルのベクトルは、以下のように表されることができる：
【数１３】
0005296212.tif 000014
【００６１】
ここで、ｐ１（ｎ）は、送信アンテナ１のための基準信号シーケンスを示し、ｐ２（ｎ）は、送信アンテナ２のための基準信号シーケンスを示し、そしてｄ１（ｎ）及びｄ２（ｎ）は、それぞれ送信アンテナ１及び２のためのデータシーケンスを示す。
【００６２】
ｐ１（ｎ）のＤＦＴは、一定のモジュラス（constant modulus）を有することができ、従って
【数１４】
0005296212.tif 000015
【００６３】
は、ｋ＝０，...，Ｑ１−１のために同じ大きさを有する。更に、ｐ２（ｎ）は、ｐ１（ｎ）を巡回シフトしたバージョンであることができ、従ってｐ２（ｎ）＝ｐ１（（ｎ−ｎ０）ｍｏｄ  Ｑ１）であり、ここでｎ０は、巡回シフトの量である。この場合には、２つの送信アンテナからの２つのチャネルは、サイクリックシフトｎ０の量が、
【数１５】
0005296212.tif 000016
【００６４】
より大きい時には、時間領域において分離される（resolved）ことができ、それは、マルチプルな複数の基準信号が符号分割多重化される時のオペレーションに類似している。
【００６５】
時間領域において基準信号及びデータを柔軟に多重化することができる送信スキームが、上に記述されている。送信スキームは、パイロットオーバーヘッドを減少して潜在的にスループットを増加するために、復調基準信号を運ぶＳＣ−ＦＤＭシンボルのために使用されることができる。データ及び基準信号のための変調シンボルは、ＤＦＴに先立って、時間領域において多重化されることができ、そして各送信アンテナのために方程式（５）において示された構造を有することができる。送信スキームはまた、チャネル推定の性能を向上するために、データを運ぶＳＣ−ＦＤＭシンボルのために使用されることができ、これは、１つのスロット内でチャネル応答が大きく変動する時に、高いドップラーのチャネル（high Doppler channel）において有用であることができる。ある複数の態様に従って、ここに記述された多重化は、モニターされるチャネルのドップラー効果のような、様々なモニターされるチャネルパラメータに基づいて変更されることができる。
【００６６】
サイクリックプリフィクスの長さＰ１及びサイクリックポストフィックスの長さＰ２は、様々な方法で構成されることができる。１つの設計では、Ｐ１及びＰ２は、レイヤ３のシグナリング（signaling）を介して半静的（semi-statically）に構成されることができる。別の設計では、Ｐ１及びＰ２は、物理的なダウンリンク制御チャネル（ＰＤＤＣＨ）上で伝送されるシグナリングを介して動的に構成されることができる。なお別の設計では、Ｐ１及びＰ２は、関連するシステム構成（例えば、ノーマルなサイクリックプリフィクス、拡張されたサイクリックプリフィクス、及び単一周波数ネットワーク又はＳＦＮ）と暗に（implicitly）結びつけられることができる。更に、図６において、基準信号６０２のためのサイクリックプリフィクス６０６／ポストフィックス６０８は、データ６０４のためのサイクリックプリフィクス６１０／ポストフィックス６１２とは異なるように構成されることができる。例えば、より長いサイクリックプリフィックス／ポストフィックスは、よりよいチャネル推定を得るために基準信号６０２に追加されることができる。
【００６７】
基準信号シーケンスの長さＱ１及びデータシーケンスの長さＱ２もまた、様々な方法で構成されることができる。１つの設計では、Ｑ１及びＱ２は、レイヤ３のシグナリングを介して半静的に構成されることができる。別の設計では、Ｑ１及びＱ２は、ＰＤＤＣＨ上で伝送されるシグナリングを介して動的に構成されることができる。なお別の設計では、Ｑ１及びＱ２は、関連するアップリンク送信のパラメータ及び状態（例えば、アップリンク送信の帯域幅、ダウンリンクのジオメトリー（geometry）、及び／又は移動する速度）と暗に結びつけられることができる。
【００６８】
図７は、無線通信システムにおいて基準信号及びデータを送信するための実例的なオペレーション７００を示す。オペレーション７００は、例えば、（以下に記述されるような）ＵＥによって、あるいは何か他のエンティティによって行われることができる。オペレーション７００は、基準シンボル及びデータを運ぶシンボルを得ることによって、７０２において始まる。７０４では、複数の基準シンボル及び複数のデータを運ぶ変調シンボルは、ＳＣ−ＦＤＭ波形を得るために時間領域において多重化される。７０６では、該ＳＣ−ＦＤＭ波形は、アップリンクの送信スロットにおいて送信される。
【００６９】
上に記述されたように、ある複数の実施形態に従って、ＵＥは、基準信号のための第１のサイクリックプリフィクスと、第１の有用な部分と、第１のサイクリックポストフィックスとを具備する第１のシンボルシーケンスを形成することができる。第１の有用な部分は、第１の複数のシンボルを具備することができ、例えば、方程式（５）におけるｐ（０）乃至ｐ（Ｑ１−１）である。図６に示されるように、第１のサイクリックプリフィクスは、第１の複数のシンボルの第１の部分集合（subset）を具備することができ、例えば、第１の有用な部分における最後のＰ１のシンボルである。第１のサイクリックポストフィックスは、第１の複数のシンボルの第２の部分集合を具備することができ、例えば、第１の有用な部分における最初のＰ２のシンボルである。
【００７０】
ＵＥは、データのための第２のサイクリックプリフィクスと、第２の有用な部分と、第２のサイクリックポストフィックスとを具備する第２のシンボルシーケンスを形成することができる。第２の有用な部分は、第２の複数のシンボルを具備することができ、例えば、方程式（５）におけるｄ（０）乃至ｄ（Ｑ２−１）である。図６に示されるように、第２のサイクリックプリフィクスは、第２の複数のシンボルの第１の部分集合を具備することができ、例えば、第２の有用な部分における最後のＰ１のシンボルである。第２のサイクリックポストフィックスは、第２の複数のシンボルの第２の部分集合を具備することができ、例えば、第２の有用な部分における最初のＰ２シンボルである。第１及び第２のサイクリクプリフィックスは、第１の長さＰ１を有することができる。第１及び第２のサイクリックポストフィックスは、第２の長さＰ２を有することができる。該ＵＥは、第１の長さ、第２の長さ、第１の有用な部分の長さ、第２の有用な部分の長さ、又はそれらのその他任意の組み合わせを示すシグナリングを受信することができる。
【００７１】
該ＵＥは、マルチプルな複数の送信アンテナを有することができる。この場合には、第１及び第２の複数のシンボルは、第１の送信アンテナのためであることができる。ＵＥは、時間領域において、第２の送信アンテナためにデータのための第４の複数のシンボル及び第２の基準信号のための第３の複数のシンボルを多重化することができる。ＵＥは、第３の複数のシンボルを得るために第１の複数のシンボルを巡回的にシフトすることができる。ＵＥは、多重化された第３及び第４の複数のシンボルに基づいて、第２の送信アンテナのための第２のＳＣ−ＦＤＭシンボルを生成することができる。
【００７２】
ある複数の態様に従って、該ＵＥは、複数の周波数領域のシンボルを得るために、多重化された第１及び第２の複数のシンボル上にＤＦＴを行うことができる。ＵＥは、送信に使用されるサブキャリアに複数の周波数領域のシンボルをマッピングすることができ、送信に使用されないサブキャリアにゼロシンボルをマッピングすることができる。ＵＥは、ＳＣ−ＦＤＭシンボルの有用な部分のための複数のサンプルを得るために、複数のマッピングされたシンボル上にＩＦＦＴを行なうことができる。該ＵＥは、ＳＣ−ＦＤＭシンボルを得るために、有用な部分にサイクリックプリフィックスを追加することができる。
【００７３】
図８は、無線通信システムにおいて基準信号及びデータを受信するための実例的な複数のオペレーション８００を例示する。複数のオペレーション８００は、例えば、（以下に記述されるような）ノードＢによって、あるいは何か他のエンティティによって行われることができる。
【００７４】
オペレーション８００は、アップリンクの送信スロットにおいて単一のＳＣ−ＦＤＭシンボルとしてＳＣ−ＦＤＭ波形を受信することによって、８０２において始まる。８０４では、複数の基準シンボル及び複数のデータを運ぶ変調シンボルが、ＳＣ−ＦＤＭ波形から（時間領域において）逆多重化される。該逆多重化された複数の基準シンボル及び複数のデータを運ぶ変調シンボルは、８０６において更に処理される。
【００７５】
上に記述されたように、ノードＢは、時間領域において多重化された基準信号及びデータを具備する受信されたＳＣ−ＦＤＭシンボルから第１のシンボルシーケンスを得ることができる。ノードＢは、基準信号のための第２の信号シーケンス及びデータのための第３の信号シーケンスを得るために第１のシンボルシーケンスを逆多重化することができる。第１のシンボルシーケンスは、ＤＦＴユニット５５８からのｒ（ｎ）に対応し、第２のシンボルシーケンスは、方程式（６）及び（８）において示されたｒ１（ｎ）に対応し、そして第３のシンボルシーケンスは、方程式（７）及び（９）において示されたｒ２（ｎ）に対応することができる。
【００７６】
８０６に従って、追加の処理は、更なる復調に使用されるチャネル推定を含むことができる。例えば、ノードＢは、第２のシンボルシーケンスに基づいてチャネル推定を派生することができる。ノードＢは、次に該チャネル推定に基づいて第３のシンボルシーケンスのために復調を行うことができる。
【００７７】
ある複数の態様に従って、第１のシンボルシーケンスは、基準信号のための第１のサイクリックプリフィックスと、第１の有用な部分と、第１のサイクリックポストフィックスとを具備することができる。ノードＢは、第１の有用な部分に対応する第１のシーケンス中の複数のシンボルに基づいて第２のシンボルシーケンスを形成することができる。第１のシンボルシーケンスは、データのための第２のサイクリックプリフィックスと、第２の有用な部分と、第２のサイクリックポストフィックスとを更に具備することができる。ノードＢは、第２の有用な部分に対応する第１のシーケンス中の複数のシンボルに基づいて、第３のシンボルシーケンスを形成することができる。
【００７８】
ある複数の態様に従って、ノードＢは、複数の周波数領域のシンボルを得るために第２のシンボルシーケンスを変換することができ、例えば、方程式（１０）に示されるＲ１（ｋ）である。ノードＢは、次に複数の周波数領域のシンボルに基づいて、マルチプルな複数のサブキャリアのためのチャネル利得を得ることができる。第１のシンボルシーケンスは、ＵＥにおいて第２の送信アンテナから伝送された第２の基準信号と、第１の送信アンテナから伝送された第１の基準信号を具備することができる。ノードＢは、第１の基準信号及び第２のシンボルシーケンス及びに基づいて、第１の送信アンテナのための第１のチャネル推定を派生することができる。ノードＢは、第２のシンボルシーケンス及び第２の基準信号に基づいて、第２の送信アンテナのための第２のチャネル推定を派生することができる。
【００７９】
上に記述された複数の方法の様々なオペレーションは、複数の図におい示された複数のミーンズ−プラス−ファンクション（means-plus-function）ブロックに対応する様々なハードウェア及び／又はソフトウェアの（複数の）構成要素及び／又は（複数の）モジュールによって行われることができる。一般に、対応する対のミーンズ−プラス−ファンクション図を有する、図に例示される方法があるところでは、オペレーションブロックは、同様の番号付けを有するミーンズ−プラス−ファンクションブロックに対応している。例えば、図７及び８において示されるオペレーション７００及び８００は、図７Ａ及び８Ａにおいて示されるミーンズ−プラス−ファンクションブロック７００及び８００Ａに対応する。
【００８０】
当業者は、情報及び信号が、様々な異なる科学技術及び専門技術の何れを使用しても、表されることができることを理解するであろう。例えば、上の記述の全体に渡って参照されることができるデータ、命令、コマンド、情報、信号、ビット、シンボル、及びチップは、電圧、電流、電磁波、磁気のフィールド又はパーティクル(particles)、光学のフィールド又はパーティクル、あるいはそれらの何れの組み合わせによって、表わされることができる。
【００８１】
当業者は、この開示に関連して記述された、様々な例示的な論理ブロック（logical blocks）、モジュール、回路、及びアルゴリズムのステップは、電子ハードウェア、コンピュータソフトウェア、あるいは両方の組み合わせとして、インプリメントされ得ることを更に評価するであろう。ハードウェアとソフトウェアのこの互換性を明確に例示するために、様々な例示的な構成要素、ブロック、モジュール、回路及びステップが、概してそれらの機能性の点から、上に記述されている。そのような機能が、ハードウェアあるいはソフトウェアとしてインプリメントされるかどうかは、オーバーオールなシステムに課された特定のアプリケーション及び設計の制約に依存する。当業者は、それぞれの特定のアプリケーションに関して多様な仕方（ways）において、該記述された機能をインプリメントすることができるが、そのようなインプリメンテーションの決定は、本開示の範囲から逸脱すると解釈されるべきではない。
【００８２】
この開示に関連して記述される、様々な例示的な論理ブロック、モジュール、及び回路は、一般目的のプロセッサ、デジタルシグナルプロセッサ（ＤＳＰ）、特定用途向け集積回路（ＡＳＩＣ）、フィールドプログラマブル（programmable）ゲートアレー（ＦＰＧＡ）あるいは他のプログラマブル論理デバイス、個別のゲート又はトランジスタロジック、個別のハードウェア構成要素、あるいはここに記述された複数の機能を行うために設計されたそれらの何れの組み合わせによってインプリメントされる又は行われることができる。一般目的のプロセッサは、マイクロプロセッサであることができるが、その代わりにおいて、該プロセッサは、何れの従来型のプロセッサ、制御装置、マイクロコントローラー又はステート（state）マシンであることができる。プロセッサはまた、例えば、ＤＳＰとマイクロプロセッサの組み合わせ、複数のマイクロプロセッサ、ＤＳＰのコアと結合している１つ又は複数のマイクロプロセッサ、あるいは他の同様な構成などの、コンピューティングデバイスの組み合わせとして、インプリメントされることができる。
【００８３】
この開示に関連して記述されるアルゴリズム又は方法のステップは、ハードウェア、プロセッサによって実行されるソフトウェアモジュール、又は２つの組み合わせ、において直接具体化（embodied）されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当技術において知られる記憶媒体のその他任意の形状において、常駐する（reside）ことができる。典型的な記憶媒体は、プロセッサが記憶媒体から情報を読み、またそれに情報を書くことができるように、プロセッサに結合されることができる。代わりにおいて、記憶媒体は該プロセッサに統合されることができる。プロセッサと記憶媒体は、ＡＳＩＣに常駐することができる。ＡＳＩＣは、ユーザ端末に常駐することができる。代わりにおいて、プロセッサと記憶媒体は、ユーザ端末の個別の構成要素として常駐することができる。
【００８４】
１つ又は複数の典型的な設計では、記述された複数の機能は、ハードウェア、ソフトウェア、ファームウェア又はそれらの何れの組み合わせにおいてインプリメントされることができる。ソフトウェアにおいてインプリメントされる場合は、複数の機能は、コンピュータ可読媒体上に１つ又は複数の命令又はコードとして送信又は格納されることができる。コンピュータ可読媒体は、１つの場所から別の場所へのコンピュータプログラムの転送を容易にする何れの媒体を含む通信媒体と、コンピュータ記憶媒体との両方を含む。記憶媒体は、一般目的あるいは専用目的のコンピュータによってアクセスされることができる何れの利用可能な媒体であることができる。限定としてではなく、例として、そのようなコンピュータ可読媒体は、ＲＡＭ、ＲＯＭ、ＥＥＰＲＯＭ、ＣＤ−ＲＯＭ又は他の光ディスク記憶装置、磁気ディスク記憶装置、あるいは他の磁気記憶装置のデバイス、あるいは複数のデータ構造又は複数の命令の形式において望ましいプログラムコードの手段を格納するあるいは運ぶために使用されることができ、そして一般目的又は専用目的のプロセッサあるいは一般目的又は専用目的のコンピュータによってアクセスされることができる、何れの他の記憶媒体を具備することができる。更に、何れの接続は、コンピュータ可読媒体と厳密には称されることができる。例えば、ソフトウェアが、同軸ケーブル、光ファイバーケーブル、ツイストペア、デジタル加入者回線（ＤＳＬ）、あるいは赤外線、電波、及びマイクロ波のような無線技術を使用して、ウェブサイト、サーバーあるいは他のリモートのソースから送信される場合は、同軸ケーブル、光ファイバーケーブル、ツイストペア、ＤＳＬ、あるいは赤外線、電波、及びマイクロ波のような無線技術は、媒体の定義に含まれる。ここに使用されるディスク（Disk）及びディスク（disc）は、コンパクト・ディスク（ＣＤ）、レーザーディスク（登録商標）、光ディスク、デジタル多目的ディスク（ＤＶＤ）、フロッピー（登録商標）ディスク及びブルーレイディスクを含んでいる、ここではディスク（disks）は、通常磁気的にデータを再生し、一方ディスク（discs）は、レーザーを用いて光学的にデータを再生する。上記の複数の組み合わせもまた、コンピュータ可読媒体の範囲内に含まれるべきである。
【００８５】
本開示についての前の記述は、何れの当業者が、本開示を作るあるいは利用することができるようにするために提供される。本開示に対する様々な修正（modification）は、当業者にとっては、容易に（readily）明白であることができ、ここに定義された一般的な（generic）法則は、本開示の精神又は範囲から外れることなく、他のバリエーション(variation)へ応用されることができる。従って、本開示は、ここに記述される例及び設計に制限されるようには意図されず、ここに開示される法則及び新規な特徴と一致する最も広い範囲を与えられることになる。
以下に、本願出願の当初の特許請求の範囲に記載された発明を付記する。
［Ｃ１］
下記を具備する、単一キャリア周波数分割多重（ＳＣ−ＦＤＭ）波形を介する無線通信のための方法：
ＳＣ−ＦＤＭシンボルを得るために、時間領域において１つ又は複数の基準シンボル及び１つ又は複数のデータを運ぶ変調シンボルを多重化すること；及び
アップリンクの送信スロットにおけるＳＣ−ＦＤＭシンボル期間内で前記ＳＣ−ＦＤＭ波形を送信すること。
［Ｃ２］
前記ＳＣ−ＦＤＭシンボルは下記を具備する、Ｃ１に記載の方法：
前記複数の基準シンボルのためのサイクリックポストフィックス及びサイクリックプリフィックスのうちの少なくとも１つ；及び
前記複数のデータを運ぶ変調シンボルのためのサイクリックポストフィックス及びサイクリックプリフィックスのうちの少なくとも１つ。
［Ｃ３］
繰り返される多くの前記基準シンボルは、繰り返される多くの前記データを運ぶ変調シンボルと異なる、Ｃ２に記載の方法。
［Ｃ４］
更に下記を具備する、Ｃ１に記載の方法：
モニターされるチャネルパラメータに基づいて前記多重化を変更すること。
［Ｃ５］
更に下記を具備する、Ｃ１に記載の方法：
前記アップリンクの送信スロットの１つ又は複数の他のＳＣ−ＦＤＭシンボル期間において、データ及び基準信号の両方を具備する１つ又は複数のＳＣ−ＦＤＭシンボルを送信すること。
［Ｃ６］
下記を具備する、単一キャリア周波数分割多重（ＳＣ−ＦＤＭ）波形を介する無線通信のための方法：
アップリンクの送信スロットにおいてＳＣ−ＦＤＭシンボルを受信すること；
１つ又は複数の基準シンボル及び１つ又は複数のデータを運ぶ変調シンボルを得るために、時間領域において前記ＳＣ−ＦＤＭシンボルを逆多重化すること；及び
前記複数の基準シンボル及び１つ又は複数のデータを運ぶ変調シンボルを処理すること。
［Ｃ７］
前記ＳＣ−ＦＤＭシンボルは下記を具備する、Ｃ６に記載の方法：
前記複数の基準シンボルのためのサイクリックポストフィックス及びサイクリックプリフィックスのうちの少なくとも１つ；及び
前記複数のデータを運ぶ変調シンボルのためのサイクリックポストフィックス及びサイクリックプリフィックスのうちの少なくとも１つ。
［Ｃ８］
繰り返される多くの前記基準シンボルは、繰り返される多くの前記データを運ぶ変調シンボルと異なる、Ｃ７に記載の方法。
［Ｃ９］
更に下記を具備するＣ６に記載の方法：
前記アップリンクの送信スロットの１つ又は複数の他のＳＣ−ＦＤＭシンボル期間において、データを運ぶシンボル及び基準シンボルの両方を具備する１つ又は複数のＳＣ−ＦＤＭシンボルを受信すること。
［Ｃ１０］
下記を具備する、単一キャリア周波数分割多重（ＳＣ−ＦＤＭ）波形を介する無線通信のための装置：
ＳＣ−ＦＤＭシンボルを得るために、時間領域において１つ又は複数の基準シンボル及び１つ又は複数のデータを運ぶ変調シンボルを多重化するためのロジック；及び
アップリンクの送信スロットにおけるＳＣ−ＦＤＭシンボル期間内で前記ＳＣ−ＦＤＭ波形を送信するためのロジック。
［Ｃ１１］
前記ＳＣ−ＦＤＭシンボルは下記を具備する、Ｃ１０に記載の装置：
前記複数の基準シンボルのためのサイクリックポストフィックス及びサイクリックプリフィックスのうちの少なくとも１つ；及び
前記複数のデータを運ぶ変調シンボルのためのサイクリックポストフィックス及びサイクリックプリフィックスのうちの少なくとも１つ。
［Ｃ１２］
繰り返される多くの前記基準シンボルは、繰り返される多くの前記データを運ぶ変調シンボルと異なる、Ｃ１１に記載の装置。
［Ｃ１３］
更に下記を具備する、Ｃ１０に記載の装置：
モニターされるチャネルパラメータに基づいて前記多重化を変更するためのロジック。
［Ｃ１４］
更に下記を具備する、Ｃ１０に記載の装置：
前記アップリンクの送信スロットの１つ又は複数の他のＳＣ−ＦＤＭシンボル期間において、データ及び基準信号の両方を具備する１つ又は複数のＳＣ−ＦＤＭシンボルを送信するためのロジック。
［Ｃ１５］
下記を具備する、単一キャリア周波数分割多重（ＳＣ−ＦＤＭ）波形を介する無線通信のための装置：
アップリンクの送信スロットにおいてＳＣ−ＦＤＭシンボルを受信するためのロジック；
１つ又は複数の基準シンボル及び１つ又は複数のデータを運ぶ変調シンボルを得るために、時間領域において前記ＳＣ−ＦＤＭシンボルを逆多重化するためのロジック；及び  前記複数の基準シンボル及び１つ又は複数のデータを運ぶ変調シンボルを処理するためのロジック。
［Ｃ１６］
前記ＳＣ−ＦＤＭシンボルは下記を具備する、Ｃ１５記載の装置：
前記複数の基準シンボルのためのサイクリックポストフィックス及びサイクリックプリフィックスのうちの少なくとも１つ；及び
前記複数のデータを運ぶ変調シンボルのためのサイクリックポストフィックス及びサイクリックプリフィックスのうちの少なくとも１つ。
［Ｃ１７］
繰り返される多くの前記基準シンボルは、繰り返される多くの前記データを運ぶ変調シンボルと異なる、Ｃ１６に記載の装置。
［Ｃ１８］
更に下記を具備する、Ｃ１５に記載の装置：
前記アップリンクの送信スロットの１つ又は複数の他のＳＣ−ＦＤＭシンボル期間において、データを運ぶシンボル及び基準シンボルの両方を具備する１つ又は複数のＳＣ−ＦＤＭシンボルを受信するためのロジック。
［Ｃ１９］
下記を具備する、単一キャリア周波数分割多重（ＳＣ−ＦＤＭ）波形を介する無線通信のための装置：
ＳＣ−ＦＤＭシンボルを得るために、時間領域において１つ又は複数の基準シンボル及び１つ又は複数のデータを運ぶ変調シンボルを多重化する手段；及び
アップリンクの送信スロットにおけるＳＣ−ＦＤＭシンボル期間内で前記ＳＣ−ＦＤＭ波形を送信する手段。
［Ｃ２０］
下記を具備する、単一キャリア周波数分割多重（ＳＣ−ＦＤＭ）波形を介する無線通信のための装置：
アップリンクの送信スロットにおいてＳＣ−ＦＤＭシンボルを受信する手段；
１つ又は複数の基準シンボル及び１つ又は複数のデータを運ぶ変調シンボルを得るために、時間領域において前記ＳＣ−ＦＤＭシンボルを逆多重化する手段；及び
前記複数の基準シンボル及び１つ又は複数のデータを運ぶ変調シンボルを処理する手段。
［Ｃ２１］
その上に複数の命令を格納されたコンピュータ可読媒体を具備する、単一キャリア周波数分割多重（ＳＣ−ＦＤＭ）波形を介する無線通信のためのコンピュータプログラム製品、前記複数の命令は１つ又は複数のプロセッサによって実行可能であり、前記複数の命令は下記を具備する：
ＳＣ−ＦＤＭシンボルを得るために、時間領域において１つ又は複数の基準シンボル及び１つ又は複数のデータを運ぶ変調シンボルを多重化するための複数の命令；及び
アップリンクの送信スロットにおけるＳＣ−ＦＤＭシンボル期間内で前記ＳＣ−ＦＤＭ波形を送信するための複数の命令。
［Ｃ２２］
その上に複数の命令を格納されたコンピュータ可読媒体を具備する、単一キャリア周波数分割多重（ＳＣ−ＦＤＭ）波形を介する無線通信のためのコンピュータプログラム製品、前記複数の命令は１つ又は複数のプロセッサによって実行可能であり、前記複数の命令は下記を具備する：
アップリンクの送信スロットにおいてＳＣ−ＦＤＭシンボルを受信するための複数の命令；
１つ又は複数の基準シンボル及び１つ又は複数のデータを運ぶ変調シンボルを得るために、時間領域において前記ＳＣ−ＦＤＭシンボルを逆多重化するための複数の命令；及び  前記複数の基準シンボル及び１つ又は複数のデータを運ぶ変調シンボルを処理するための複数の命令。
［Ｃ２３］
下記を行うように構成される少なくとも１つのプロセッサを具備する、単一キャリア周波数分割多重（ＳＣ−ＦＤＭ）波形を介する無線通信のための装置：
ＳＣ−ＦＤＭシンボルを得るために、時間領域において１つ又は複数の基準シンボル及び１つ又は複数のデータを運ぶ変調シンボルを多重化すること；及び
アップリンクの送信スロットにおけるＳＣ−ＦＤＭシンボル期間内で前記ＳＣ−ＦＤＭ波形を送信すること。
［Ｃ２４］
下記を行うように構成される少なくとも１つのプロセッサを具備する、単一キャリア周波数分割多重（ＳＣ−ＦＤＭ）波形を介する無線通信のための装置：
アップリンクの送信スロットにおいてＳＣ−ＦＤＭシンボルを受信すること；
１つ又は複数の基準シンボル及び１つ又は複数のデータを運ぶ変調シンボルを得るために、時間領域において前記ＳＣ−ＦＤＭシンボルを逆多重化すること；及び
前記複数の基準シンボル及び１つ又は複数のデータを運ぶ変調シンボルを処理すること。
【図１】
0005296212.tif 000017
【図２】
0005296212.tif 000018
【図３】
0005296212.tif 000019
【図４Ａ】
0005296212.tif 000020
【図４Ｂ】
0005296212.tif 000021
【図５】
0005296212.tif 000022
【図６】
0005296212.tif 000023
【図７】
0005296212.tif 000024
【図７Ａ】
0005296212.tif 000025
【図８】
0005296212.tif 000026
【図８Ａ】
0005296212.tif 000027